(57)【特許請求の範囲】
【請求項１】
複数の原稿のうちの１枚を画像データとして読み取る読取手段と、
前記読取手段により読み取られた画像データを表示する表示手段と、
前記表示手段により表示された画像データに対して編集を行なうための編集情報の設定を行なう編集情報設定手段と、
前記編集情報設定手段により設定された編集情報を保存する保存手段と、
前記保存手段に前記編集情報が保存されている状態で、前記読取手段により連続して読み取られる残余の前記原稿の画像データのそれぞれに対して前記保存手段に保存されている同一の編集情報を適用する編集情報適用手段と、
前記編集情報適用手段により編集情報が適用された複数の画像データを順次出力する出力手段と、
を備えることを特徴とする複写機。
【請求項２】
前記編集情報適用手段により前記編集情報が適用された画像データを確認出力する確認出力手段と、
前記確認出力手段により確認出力された画像データに対して確定を指示する確定指示手段とを備え、
前記出力手段は、前記確定指示手段による確定指示がなされた場合に、前記編集情報が適用された複数の画像データを出力することが可能であることを特徴とする請求項１に記載の複写機。
【請求項３】
用紙情報を指定する用紙指定手段と、
前記用紙指定手段により指定された用紙情報に基づいて、白紙画像データの表示を行なう表示手段と、
前記表示手段により表示された白紙画像データに対して、その白紙画像データの所定領域毎に、その領域を印刷するか否かを含む印刷態様の編集を行なうための編集情報の設定を行なう編集情報設定手段と、
前記編集情報設定手段により設定された編集情報を保存する保存手段と、
原稿を画像データとして読み取る読取手段と、
前記読取手段により読み取られた画像データに対して前記保存手段に保存されている編集情報を適用する編集情報適用手段と、
前記編集情報適用手段により編集情報が適用された画像データを出力する出力手段と、
を備えることを特徴とする複写機。
【請求項４】
前記編集情報適用手段は、前記読取手段により連続して複数の原稿の画像データが読み取られた場合に、同一の編集情報を当該複数の原稿の画像データのそれぞれに対して適用することを特徴とする請求項１ないし３のいずれか１項に記載の複写機。
【請求項５】
前記編集情報の設定が受け付けられる編集モードに切り替えるための編集モード切替手段を備え、
前記編集モード切替手段により前記編集モードに切り替えられ、その編集モードが継続している期間は、前記保存手段における前記編集情報の保存が継続されることを特徴とする請求項１ないし４のいずれか１項に記載の複写機。
【請求項６】
前記編集情報の内容を表示する編集情報表示手段と、
前記編集情報表示手段により表示された編集情報をさらに編集する編集情報編集手段とを備え、
前記編集情報適用手段は前記編集情報編集手段により編集された編集情報を前記読取手段により読み取られた原稿の画像データに対して適用することを特徴とする請求項１ないし５のいずれか１項に記載の複写機。
【請求項７】
前記表示手段は、前記読取手段により読み取られた複数の原稿の画像データ、もしくは前記用紙指定手段により指定された用紙情報に基づく前記白紙の画像データを複数表示するとともに、当該複数の画像データを切り替えて表示可能であり、
前記編集情報設定手段は、前記表示手段により表示される画像データ毎に個別に前記編集情報の設定を受け付け、
前記表示手段に表示されている一つの画像データに対して前記編集情報が設定された場合に、その編集情報を適用する原稿のページ数を指定するためのページ数指定手段を備え、
前記保存手段は、前記編集情報設定手段により設定された編集情報と、前記ページ数指定手段により指定された原稿のページ数とを対応付けて保存しており、
前記編集情報適用手段は、前記読取手段により連続して読み取られる複数の原稿の画像データのページをカウントするとともに、前記保存手段を参照し、カウントされたページ数に対応付けて保存されている前記編集情報を適用することを特徴とする請求項１ないし６のいずれか１項に記載の複写機。
【請求項８】
原稿を画像データとして読み取る読取手段と、
予め記憶され、所定領域毎にその領域を印刷するか否かを含む印刷態様が設定された雛型の編集情報と、その雛型の編集情報を呼び出すための雛型情報設定キーとを対応付けて記憶する記憶手段と、
前記雛型情報設定キーが操作された場合に、その雛型情報設定キーに対応付けて記憶されている前記雛型の編集情報を前記記憶手段から呼び出し、前記読取手段により読み取られた原稿の画像データに対して適用する編集情報適用手段と、
前記編集情報適用手段により前記雛型の編集情報が適用された画像データを出力する出力手段と、
を備えることを特徴とする複写機。
【請求項９】
前記編集情報適用手段は、前記読取手段により連続して複数の原稿の画像データが読み取られた場合に、同一の編集情報を当該複数の原稿の画像データのそれぞれに対して適用することを特徴とする請求項８に記載の複写機。
【請求項１０】
前記雛型の編集情報の内容を表示する編集情報表示手段と、
前記編集情報表示手段により表示された雛型の編集情報をさらに編集する編集情報編集手段とを備え、
前記編集情報適用手段は前記編集情報編集手段により編集された編集情報を前記読取手段により読み取られた原稿の画像データに対して適用することを特徴とする請求項８または９に記載の複写機。
【請求項１１】
前記読取手段により読み取られた画像データを表示する表示手段を備え、
前記表示手段は、前記読取手段により読み取られた複数の原稿の画像データを表示し、
かつ当該複数の画像データを切り替えて表示可能であり、
前記表示手段により表示される画像データ毎に前記雛型情報設定キーによる前記雛型の編集情報の設定を受け付け、
前記表示手段に表示されている一つの画像データに対して前記雛型情報設定キーによる編集情報が設定された場合に、その編集情報を適用する原稿のページ数を指定するためのページ数指定手段と、
前記雛型情報設定キーにより設定された雛型の編集情報と、前記ページ数指定手段により指定された原稿のページ数とを対応付けて保存する保存手段と、を備え、
前記編集情報適用手段は、前記読取手段により連続して読み取られる複数の原稿の画像データのページをカウントするとともに、前記保存手段を参照し、カウントされたページ数に対応づけて保存されている前記雛型の編集情報を適用することを特徴とする請求項８ないし１０のいずれか１項に記載の複写機。
【請求項１２】
前記編集情報適用手段により編集情報を適用した原稿の画像データについて、その画像データを何枚出力するかを指定する部数指定手段を備えたことを特徴とする請求項１ないし１１のいずれかに記載の複写機。
【請求項１３】
複写機と、その複写機にネットワーク接続された端末装置とを含む複写機システムであって、
前記端末装置は、
画像データを取得する画像データ取得手段と、
前記画像データ取得手段により取得された画像データを表示する表示手段と、
前記表示手段により表示された画像データに対して編集を行なうための編集情報の設定を行なう編集情報設定手段と、
前記編集情報設定手段により設定された編集情報を前記複写機に送る送信手段と、を備え、
前記複写機は、
複数の原稿のうちの１枚を画像データとして読み取る読取手段と、
前記端末装置から前記編集情報を取得する取得手段と、
前記取得手段により取得された編集情報を保存する保存手段と、
前記保存手段に前記編集情報が保存されている状態で、前記読取手段により連続して読み取られる残余の前記原稿の画像データのそれぞれに対して前記保存手段に保存されている同一の編集情報を適用する編集情報適用手段と、
前記編集情報適用手段により編集情報が適用された複数の画像データを出力する出力手段と、
を備えることを特徴とする複写機システム。
【請求項１４】
複写機と、その複写機にネットワーク接続された端末装置とを含む複写機システムであって、
前記端末装置は、
用紙情報を指定する用紙指定手段と、
前記用紙指定手段により指定された用紙情報に基づいて、白紙画像データの表示を行なう表示手段と、
前記表示手段により表示された白紙画像データに対して、その白紙画像データの所定領域毎に、その領域を印刷するか否かを含む印刷態様の編集を行なうための編集情報の設定を行なう編集情報設定手段と、
前記編集情報設定手段により設定された編集情報を前記複写機に送る送信手段と、
を備え、
前記複写機は、
前記端末装置から前記編集情報を取得する取得手段と、
前記取得手段により取得された編集情報を保存する保存手段と、
原稿を画像データとして読み取る読取手段と、
前記読取手段により読み取られた画像データに対して前記保存手段に保存されている編集情報を適用する編集情報適用手段と、
前記編集情報適用手段により編集情報が適用された画像データを出力する出力手段と、
を備えることを特徴とする複写機システム。
【請求項１５】
複写機と、その複写機にネットワーク接続された端末装置とを含む複写機システムであって、
前記端末装置は、
予め記憶され、所定領域毎にその領域を印刷するか否かを含む印刷態様が設定された雛型の編集情報と、その雛型の編集情報を呼び出すための雛型情報設定キーとを対応付けて記憶する記憶手段と、
前記記憶手段に記憶された雛型の編集情報を前記複写機に送る送信手段と、
を備え、
前記複写機は、
原稿を画像データとして読み取る読取手段と、
前記端末装置から前記雛型の編集情報を取得する取得手段と、
前記取得手段により取得された雛型の編集情報を保存する保存手段と、
前記雛型情報設定キーが操作された場合に、その雛型情報設定キーに対応付けて保存されている前記雛型の編集情報を前記保存手段から呼び出し、前記読取手段により読み取られた原稿の画像データに対して適用する編集情報適用手段と、
前記編集情報適用手段により前記雛型の編集情報が適用された画像データを出力する出力手段と、
を備えることを特徴とする複写機システム。
【請求項１６】
複数の原稿のうちの１枚の画像データを取得する取得ステップと、
前記取得ステップにより取得された画像データを表示させる表示ステップと、
前記表示ステップにより表示された画像データに対して編集を行なうための編集情報の設定を行なう編集情報設定ステップと、
前記編集情報設定ステップにより設定された編集情報を保存する保存ステップと、
前記保存ステップにより前記編集情報が保存されている状態で、新たに取得される残余の前記原稿の画像データのそれぞれに対して前記保存ステップにおいて保存された同一の編集情報を適用する編集情報適用ステップと、
前記編集情報が適用された複数の画像データを順次出力する出力ステップと、
をコンピュータで実行させる、記録媒体に格納されたまたは利用可能な状態におかれたコンピュータ読み取り可能なコンピュータプログラム。
【請求項１７】
用紙情報を取得する用紙情報取得ステップと、
前記用紙情報取得ステップにより取得された用紙情報に基づいて、白紙画像データを表示させる表示ステップと、
前記表示ステップにより表示された白紙画像データに対して、その白紙画像データの所定領域毎に、その領域を印刷するか否かを含む印刷態様の編集を行なうための編集情報の設定を行なう編集情報設定ステップと、
前記編集情報設定ステップにより設定された編集情報を保存する保存ステップと、
原稿の画像データを取得する取得ステップと、
前記取得ステップにより取得された画像データに対して前記保存ステップにおいて保存された編集情報を適用する編集情報適用ステップと、
前記編集情報が適用された画像データを出力する出力ステップと、
をコンピュータで実行させる、記録媒体に格納されたまたは利用可能な状態におかれたコンピュータ読み取り可能なコンピュータプログラム。
【請求項１８】
原稿の画像データを取得する取得ステップと、
雛型情報設定キーが操作された場合に、所定領域毎にその領域を印刷するか否かを含む印刷態様が設定された雛型の編集情報と、その雛型の編集情報を呼び出すための雛型情報設定キーとを予め対応付けて記憶している記憶部から、操作された前記雛型情報設定キーに対応付けて記憶されている前記雛型の編集情報を呼び出し、前記取得ステップにより取得された原稿の画像データに対して適用する編集情報適用ステップと、
前記編集情報適用ステップにより前記雛型の編集情報が適用された画像データを出力する出力ステップと、
をコンピュータで実行させる、記録媒体に格納されたまたは利用可能な状態におかれた
コンピュータ読み取り可能なコンピュータプログラム。
【発明の詳細な説明】
【技術分野】
【０００１】
本発明は、複写機，複写機システム，およびコンピュータプログラムに関するものである。
【背景技術】
【０００２】
複写機として、例えば、原稿画像上の任意の領域を指定し、該領域に対して色変換や塗りつぶし等の画像処理を実行できるようにしたものがある。
【０００３】
例えば、指定領域の塗りつぶしや色変換等の編集処理や、読み取った画像に対して領域を指定し、その指定領域内外の画像データを加工するといった、いわゆる、カラー画像処理をモニタ表示を見ながら行ない、その結果を確認することのできるデジタルカラー複写機が考案されている（特許文献１参照）。
【０００４】
【特許文献１】特開平０８−３１７２３７号公報
【発明の開示】
【発明が解決しようとする課題】
【０００５】
特許文献１の例では、一枚の原稿に対して領域指定や色指定等の編集情報の設定（以下、複雑コピーの設定と称する）を行ない、その設定内容で記録出力を行なうことしか記載されていないため、一度設定した内容を保存しておき、同じ設定内容を別の原稿にも適用させることについては言及されていない。そのため、複数枚の原稿に同じ内容の複雑コピーの設定を行なう場合であっても、複雑コピーの設定を個別の原稿に対してそれぞれ行なわなければならず、効率が悪いという問題点がある。
【０００６】
また、特許文献１の例では、必ず原稿をスキャナで読み取ってから、その原稿の画像データに対して複雑コピーの設定を行なうものであり、どのような簡単な編集情報の設定であっても原稿を読み取らなければならず、効率が悪いという問題点がある。
【０００７】
上記問題を背景として、本発明は、同じ内容の編集情報の設定を複数枚の原稿に対して行なうことが可能であり、また、効率よく編集情報を設定可能な複写機，複写機システム，およびコンピュータプログラムを提供することを目的とするものである。
【課題を解決するための手段および発明の効果】
【０００８】
上記目的を達成するための複写機は、原稿を画像データとして読み取る読取手段と、読取手段により読み取られた画像データを表示する表示手段と、表示手段により表示された画像データに対して編集を行なうための編集情報の設定を行なう編集情報設定手段と、編集情報設定手段により設定された編集情報を保存する保存手段と、保存手段に編集情報が保存されている状態で、読取手段により連続して読み取られる複数の原稿の画像データのそれぞれに対して保存手段に保存されている同一の編集情報を適用する編集情報適用手段と、編集情報適用手段により編集情報が適用された複数の画像データを順次出力する出力手段と、を備えることを前提とする。
【０００９】
上記構成によって、１枚の原稿に対して、複雑コピーの設定を行なえば、それ以降の連続して読み取られる複数枚の原稿に対しても同様の複雑コピーの設定内容（編集情報）が適用されることから、個別に複雑コピーの設定を行なう必要がなく、複数の同様の原稿に対して同じ複雑コピーを行ないたい場合の作業効率が向上する。
【００１０】
上記目的を達成するための複写機は、用紙情報を指定する用紙指定手段と、用紙指定手段により指定された用紙情報に基づいて、白紙画像データの表示を行なう表示手段と、表示手段により表示された白紙画像データに対して編集を行なうための編集情報の設定を行なう編集情報設定手段と、編集情報設定手段により設定された編集情報を保存する保存手段と、原稿を画像データとして読み取る読取手段と、読取手段により読み取られた画像データに対して保存手段に保存されている編集情報を適用する編集情報適用手段と、編集情報適用手段により編集情報が適用された画像データを出力する出力手段と、を備えることを前提とする。
【００１１】
上記構成によって、簡単な複雑コピーのパターンであれば、原稿をわざわざ読み取らせることなく、複雑コピーの設定を行なうことができる。
【００１２】
上記目的を達成するための複写機は、原稿を画像データとして読み取る読取手段と、予め記憶されている雛型の編集情報と、その雛型の編集情報を呼び出すための雛型情報設定キーとを対応付けて記憶する記憶手段と、雛型情報設定キーが操作された場合に、その雛型情報設定キーに対応付けて記憶されている雛型の編集情報を記憶手段から呼び出し、読取手段により読み取られた原稿の画像データに対して適用する編集情報適用手段と、編集情報適用手段により雛型の編集情報が適用された画像データを出力する出力手段と、を備えることを前提とする。
【００１３】
上記構成によって、予め装置が使用することが予測される複雑コピーのパターンを雛型情報として登録したワンタッチボタンを備えておくことで、ユーザがわざわざ複雑コピーの設定を行なうことなく、必要に応じてワンタッチボタンを操作して複雑コピーの設定を行なうことができる。
【００１４】
また、本発明の複写機における編集情報適用手段は、読取手段により連続して複数の原稿の画像データが読み取られた場合に、同一の編集情報を当該複数の原稿の画像データのそれぞれに対して適用することを特徴とする構成をとることができる。
【００１５】
上記構成によって、白紙画像データに対して編集情報の設定を行った場合の編集内容や、雛型情報設定キーを用いて編集情報の設定を行った場合の編集内容のように、一度指定した複雑コピーの設定内容（編集情報）を一枚の原稿に対してだけではなく複数枚の原稿に対して適用させることができ、原稿毎に複雑コピーの設定を行なう手間を省くことができる。
【００１６】
また、本発明の複写機は、雛型の編集情報の内容を表示する編集情報表示手段と、編集情報表示手段により表示された雛型の編集情報をさらに編集する編集情報編集手段とを備え、編集情報適用手段は編集情報編集手段により編集された編集情報を読取手段により読み取られた原稿の画像データに対して適用することを特徴とする構成をとることができる。
【００１７】
上記構成によって、予め備えられている雛型情報に対して変更を加えることができるため、今回のコピーのみ雛型の設定内容を一部変更したい、といった要求に柔軟に対応することができる。
【００１８】
また、本発明の複写機は、編集情報の設定が受け付けられる編集モードに切り替えるための編集モード切替手段を備え、編集モード切替手段により編集モードに切り替えられ、その編集モードが継続している期間は、保存手段における編集情報の保存が継続されることを特徴とする構成をとることができる。
【００１９】
上記構成によって、一度切り替えられた編集モードのモード中であれば、そのモード中に設定した複雑コピーの設定内容が保存手段に保持された状態になるため、そのモードを解除しない間は、複数の原稿に対して、保存されている複雑コピーの設定内容を繰り返し適用することができ、同じ複雑コピーの設定を原稿毎に指定する手間を省くことができる。また、複雑コピーの設定内容は、編集モードが一度解除されることで削除されるため、編集モードの解除後も複雑コピーの設定内容を保持しておくためのメモリを確保する必要がなく、メモリを効率よく使用することができる。
【００２０】
また、本発明の複写機は、編集情報適用手段により編集情報が適用された画像データを確認出力する確認出力手段と、確認出力手段により確認出力された画像データに対して確定を指示する確定指示手段とを備え、出力手段は、確定指示手段による確定指示がなされた場合に、編集情報が適用された複数の画像データを出力することが可能であることを特徴とする構成をとることができる。
【００２１】
上記構成によって、指定した複雑コピーの設定内容が適切か否かを確認してから、複数枚の原稿に対しての複雑コピーの指示を行なうため、間違った指定のまま複数枚の原稿に対して同様のコピーが行われることを防ぐことができる。
【００２２】
また、本発明の複写機における表示手段は、読取手段により読み取られた複数の原稿の画像データ、もしくは用紙指定手段により指定された用紙情報に基づく白紙の画像データを複数表示するとともに、当該複数の画像データを切り替えて表示可能であり、編集情報設定手段は、表示手段により表示される画像データ毎に個別に編集情報の設定を受け付け、表示手段に表示されている一つの画像データに対して編集情報が設定された場合に、その編集情報を適用する原稿のページ数を指定するためのページ数指定手段を備え、保存手段は、編集情報設定手段により設定された編集情報と、ページ数指定手段により指定された原稿のページ数とを対応付けて保存しており、編集情報適用手段は、読取手段により連続して読み取られる複数の原稿の画像データのページをカウントするとともに、保存手段を参照し、カウントされたページ数に対応付けて保存されている編集情報を適用することを特徴とする構成をとることができる。
【００２３】
上記構成によって、原稿が複数枚まとめてセットされ、その複数枚に対して、ページ毎に異なる複雑コピーを実行したい場合に、複数の異なる複雑コピーの設定を原稿に対して行なうとともに、その複雑コピーを適用するページ数を指示しておけば、一度の原稿読み取りの中で、それぞれページ毎で異なる設定内容での複雑コピーの設定および出力が可能となる。そのため、複雑コピーの設定内容が異なるページ毎に予め原稿を分けておき、別々に原稿をセットして複雑コピーの設定を行なうといった必要がなく、原稿の取り扱いが簡単となる。
【００２４】
また、本発明の複写機における表示手段は、読取手段により読み取られた複数の原稿の画像データを表示し、かつ当該複数の画像データを切り替えて表示可能であり、表示手段により表示される画像データ毎に雛型情報設定キーによる雛型の編集情報の設定を受け付け、表示手段に表示されている一つの画像データに対して雛型情報設定キーによる編集情報が設定された場合に、その編集情報を適用する原稿のページ数を指定するためのページ数指定手段と、雛型情報設定キーにより設定された雛型の編集情報と、ページ数指定手段により指定された原稿のページ数とを対応づけて保存する保存手段と、を備え、編集情報適用手段は、読取手段により連続して読み取られる複数の原稿の画像データのページをカウントするとともに、保存手段を参照し、カウントされたページ数に対応づけて保存されている雛型の編集情報を適用することを特徴とする構成をとることができる。
【００２５】
上記構成によって、雛型情報を用いる場合においても、原稿が複数枚まとめてセットされ、その複数枚に対して、ページ毎に異なる複雑コピーを実行したい場合に、複数の異なる複雑コピーの設定を雛型を用いて行なうとともに、その複雑コピーを適用するページ数を指示しておけば、一度の原稿読み取りの中で、それぞれページ毎で異なる設定内容での複雑コピーの設定および出力が可能となる。そのため、複雑コピーの設定内容が異なるページ毎に予め原稿を分けておき、別々に原稿をセットして複雑コピーの設定および出力を行なうといった必要がなく、原稿の取り扱いが簡単となる。
【００２６】
また、本発明の複写機は、編集情報適用手段により編集情報を適用した原稿の画像データについて、その画像データを何枚出力するかを指定する部数指定手段を備えたことを特徴とする構成をとることができる。
【００２７】
上記構成によって、読み取られた原稿毎にコピー部数を指定できるため、複雑コピーの設定を適用した出力を一枚の原稿に対し必要な部数だけ指定することができ、同じ複雑コピーの設定を適用した出力を何セットか出力したい場合に有効となる。
【００２８】
上記目的を達成するための複写システムは、複写機と、その複写機にネットワーク接続された端末装置とを含む複写機システムであって、端末装置は、画像データを取得する画像データ取得手段と、画像データ取得手段により取得された画像データを表示する表示手段と、表示手段により表示された画像データに対して編集を行なうための編集情報の設定を行なう編集情報設定手段と、編集情報設定手段により設定された編集情報を複写機に送る送信手段と、備え、複写機は、原稿を画像データとして読み取る読取手段と、端末装置から編集情報を取得する取得手段と、取得手段により取得された編集情報を保存する保存手段と、保存手段に編集情報が保存されている状態で、読取手段により連続して読み取られる複数の原稿の画像データのそれぞれに対して保存手段に保存されている同一の編集情報を適用する編集情報適用手段と、編集情報適用手段により編集情報が適用された複数の画像データを出力する出力手段と、を備えることを前提とする。
【００２９】
上記構成によって、１枚の原稿に対して、複雑コピーの設定を行なえば、それ以降の連続して読み取られる複数枚の原稿に対しても同様の複雑コピーの設定内容が適用されることから、個別に複雑コピーの設定を行なう必要がなく、複数の同様の原稿に対して同じ複雑コピーを行ないたい場合の作業効率が向上する。また、複写機以外の端末装置で複雑コピーの設定を行なうことができるので、複写機に複雑コピーの設定を行なうための表示画面や設定キー等を設ける必要がなくなる。
【００３０】
さらに、端末装置が備えるある程度大きなサイズの画面を用いて、読み取った原稿の画像データを表示させることで、細かい編集情報の設定についても精度よく行なうことができる。また、端末装置に対して複写機が複数接続されている場合にも、端末装置で一括して複雑コピーの設定を行なうことができ、効率よく複雑コピーの設定を行なうことができる。
【００３１】
上記目的を達成するための複写システムは、複写機と、その複写機にネットワーク接続された端末装置とを含む複写機システムであって、端末装置は、用紙情報を指定する用紙指定手段と、用紙指定手段により指定された用紙情報に基づいて、白紙画像データの表示を行なう表示手段と、表示手段により表示された白紙画像データに対して編集を行なうための編集情報の設定を行なう編集情報設定手段と、編集情報設定手段により設定された編集情報を複写機に送る送信手段と、を備え、複写機は、端末装置から編集情報を取得する取得手段と、取得手段により取得された編集情報を保存する保存手段と、原稿を画像データとして読み取る読取手段と、読取手段により読み取られた画像データに対して保存手段に保存されている編集情報を適用する編集情報適用手段と、編集情報適用手段により編集情報が適用された画像データを出力する出力手段と、を備えることを前提とする。
【００３２】
上記構成によって、簡単な複雑コピーのパターンであれば、原稿をわざわざ読み取らせることなく、複雑コピーの設定および出力を行なうことができる。また、複写機以外の端末装置で複雑コピーの設定を行なうことができるので、複写機に複雑コピーの設定を行なうための表示画面や設定キー等を設ける必要がなくなる。
【００３３】
さらに、端末装置が備えるある程度大きなサイズの画面を用いて、読み取った原稿の画像データを表示させることで、細かい編集情報の設定についても精度よく行なうことができる。また、端末装置に対して複写機が複数接続されている場合にも、端末装置で一括して複雑コピーの設定を行なうことができ、効率よく複雑コピーの設定を行なうことができる。
【００３４】
上記目的を達成するための複写システムは、複写機と、その複写機にネットワーク接続された端末装置とを含む複写機システムであって、端末装置は、予め記憶されている雛型の編集情報と、その雛型の編集情報を呼び出すための雛型情報設定キーとを対応付けて記憶する記憶手段と、記憶手段に記憶された雛型の編集情報を複写機に送る送信手段と、を備え、複写機は、原稿を画像データとして読み取る読取手段と、端末装置から雛型の編集情報を取得する取得手段と、取得手段により取得された雛型の編集情報を保存する保存手段と、雛型情報設定キーが操作された場合に、その雛型情報設定キーに対応付けて保存されている雛型の編集情報を保存手段から呼び出し、読取手段により読み取られた原稿の画像データに対して適用する編集情報適用手段と、編集情報適用手段により雛型の編集情報が適用された画像データを出力する出力手段と、を備えることを前提とする。
【００３５】
上記構成によって、予め装置が使用することが予測される複雑コピーのパターンを雛型情報として登録したワンタッチボタンを備えておくことで、ユーザがわざわざ複雑コピーの設定を行なうことなく、必要に応じてワンタッチボタンを操作して複雑コピーを実行することができる。また、複写機以外の端末装置で複雑コピーの設定を行なうことができるので、複写機に複雑コピーの設定を行なうための表示画面や設定キー等を設ける必要がなくなる。
【００３６】
さらに、端末装置が備えるある程度大きなサイズの画面を用いて、読み取った原稿の画像データを表示させることで、細かい編集情報の設定についても精度よく行なうことができる。また、端末装置に対して複写機が複数接続されている場合にも、端末装置で一括して複雑コピーの設定を行なうことができ、効率よく複雑コピーの設定を行なうことができる。
【００３７】
上記目的を達成するためのコンピュータプログラムは、原稿の画像データを取得する取得ステップと、取得ステップにより取得された画像データを表示させる表示ステップと、表示ステップにより表示された画像データに対して編集を行なうための編集情報の設定を行なう編集情報設定ステップと、編集情報設定ステップにより設定された編集情報を保存する保存ステップと、保存ステップにより編集情報が保存されている状態で、新たに取得される複数の画像データのそれぞれに対して保存ステップにおいて保存された同一の編集情報を適用する編集情報適用ステップと、編集情報が適用された複数の画像データを順次出力する出力ステップと、をコンピュータで実行させる、記録媒体に格納されたまたは利用可能な状態におかれたコンピュータ読み取り可能なコンピュータプログラムとして構成される。
【００３８】
上記プログラムをコンピュータに読み取らせて動作させることで、請求項１と同様の効果を得ることができる。
【００３９】
上記目的を達成するためのコンピュータプログラムは、用紙情報を取得する用紙情報取得ステップと、用紙情報取得ステップにより取得された用紙情報に基づいて、白紙画像データを表示させる表示ステップと、表示ステップにより表示された白紙画像データに対して編集を行なうための編集情報の設定を行なう編集情報設定ステップと、編集情報設定ステップにより設定された編集情報を保存する保存ステップと、原稿の画像データを取得する取得ステップと、取得ステップにより取得された画像データに対して保存ステップにおいて保存された編集情報を適用する編集情報適用ステップと、編集情報が適用された画像データを出力する出力ステップと、をコンピュータで実行させる、記録媒体に格納されたまたは利用可能な状態におかれたコンピュータ読み取り可能なコンピュータプログラムとして構成される。
【００４０】
上記プログラムをコンピュータに読み取らせて動作させることで、請求項３と同様の効果を得ることができる。
【００４１】
上記目的を達成するためのコンピュータプログラムは、原稿の画像データを取得する取得ステップと、雛型情報設定キーが操作された場合に、雛型の編集情報と、その雛型の編集情報を呼び出すための雛型情報設定キーとを予め対応付けて記憶している記憶部から、操作された雛型情報設定キーに対応付けて記憶されている雛型の編集情報を呼び出し、取得ステップにより取得された原稿の画像データに対して適用する編集情報適用ステップと、編集情報適用ステップにより雛型の編集情報が適用された画像データを出力する出力ステップと、をコンピュータで実行させる、記録媒体に格納されたまたは利用可能な状態におかれたコンピュータ読み取り可能なコンピュータプログラムとして構成される。
【００４２】
上記プログラムをコンピュータに読み取らせて動作させることで、請求項８と同様の効果を得ることができる。
【発明を実施するための最良の形態】
【００４３】
同じ内容の編集情報の設定を複数枚の原稿に対して行なうことが可能であり、また、効率よく編集情報を設定可能な複写機，複写機システム，およびコンピュータプログラムを提供するという目的を、編集モード切替手段により複雑コピーの設定が可能な編集モードに切り替えられている間は、読取手段により読み取られて表示された画像データ，用紙指定手段により指定された用紙情報に基づいて表示された白紙画像データに対して複雑コピーの設定を行なうことができ、編集モード中は当該複雑コピーの設定内容を一時保存して、その設定内容を繰り返し使用可能な構成により実現した。
【実施例】
【００４４】
以下、本発明の複写機，複写機システム，およびコンピュータプログラムの実施の形態を、複写機を例に挙げて図面を用いて説明する。図１に本実施形態の複写機１０の電気的構成のブロック図を示す。複写機１０は、ＣＰＵ１１、ワークメモリ１２ａを備えるＲＡＭ１２、各種プログラムを記憶するＲＯＭ１３、バスライン１４、入出力部１５（図１ではＩ／Ｏと表記）、メモリ１６、通信インターフェース１８（図１では通信Ｉ／Ｆと表記）、および印刷制御データ等の受信したデータを一時格納する受信バッファ１７を備えて構成される。
【００４５】
ＲＯＭ１３には、印刷制御プログラム１３ａ、スキャナ制御プログラム１３ｂ、通信プログラム１３ｃ、およびコピー制御プログラム１３ｄが格納されている。
【００４６】
入出力部１５には、操作パネル２０（図２参照、詳細は後述）、周知のインクジェット印字機構、レーザー印字機構、熱転写印字機構、あるいはドットインパクト式印字機構などからなる本発明の出力手段である印刷部２３，イメージセンサ等を含む原稿の読み取りを行なう本発明の読取手段であるスキャナ部２４等が制御対象として接続されている。これら印刷部２３、スキャナ部２４の動作は周知のものであり、ＲＯＭ１３に格納された対応する印刷制御プログラム１３ａ、スキャナ制御プログラム１３ｂ、コピー制御プログラム１３ｄを、本発明の編集情報適用手段であるＣＰＵ１１がＲＡＭ１２のワークメモリ１２ａを用いて実行することで動作制御される。
【００４７】
また、本発明の取得手段である通信インターフェース１８はＬＡＮ（Local  Area  Network）等の通信ネットワーク５０を介して端末装置３０（詳細は後述）とデータ等を送受信するための通信インターフェース回路を含んで構成される。通信ネットワーク５０に接続された外部通信網を経由した各種データの送受信は、ＣＰＵ１１が通信プログラム１３ｃを実行することで行なわれる。
【００４８】
メモリ１６は、例えばＥＥＰＲＯＭ（Electrically  Erasable  ＆  Programmable  Read  Only  Memory：電気的消去・プログラム可能・読出し専用メモリ）等の不揮発性メモリで構成され、複写機１０の動作に必要なデータが記憶されている。
【００４９】
図２に、複写機１０の操作パネル２０の例を示す。操作パネル２０は、本発明の編集情報設定手段，編集情報編集手段，編集モード切替手段，用紙指定手段，確定指示手段，ページ数指定手段，部数指定手段である操作部２１と、表示部２２、スピーカ２０ａとを含んで構成される。操作部２１はメカニカルなスイッチ等が用いられ、複写機１０の電源の入／切を行なう電源ボタン２１ａ、カーソルボタン２１ｂ、コピーボタン２１ｃ１，スキャナボタン２１ｃ２やその他の機能ボタン２１ｃ３を含んで構成される機能選択ボタン２１ｃ、テンキー２１ｄ、ワンタッチボタン２１ｅ，各種動作の開始を行なうスタートボタン２１ｆ、および各種動作を中断あるいは停止させるストップボタン２１ｇが含まれる。
【００５０】
本発明の表示手段，編集情報表示手段，確認出力手段である表示部２２は周知のドット・マトリックス方式のカラー液晶表示器および液晶表示制御を行なうための図示しないドライバ回路を含んで構成されている。ドライバ回路は、例えば、画素毎にトランジスタを付けて目的の画素を確実に点灯させたり消したりすることができるアクティブマトリックス駆動方式が用いられ、入出力部１５から送られる表示指令および表示画面データに基づいて表示を行なう。また、表示部２２として有機ＥＬ（ElectroLuminescence：電界発光）表示器，プラズマ表示器を用いてもよい。
【００５１】
また、操作部２１として、表示部２２と一体になったタッチパネルを用いてもよい。タッチパネルは、表示部２２の画面上にガラス基盤と透明なフィルムにスペーサと呼ばれる隙間を介してＸ軸方向、Ｙ軸方向に電気回路が配線され、フィルム上をユーザがタッチすると、押された部分の配線がショートして電圧値が変わるため、これを２次元座標値（Ｘ，Ｙ）として検出する、いわゆる抵抗膜方式が広く用いられる。その他に、いわゆる静電容量方式を用いてもよい。
【００５２】
（複雑コピー処理１）
図３，図４を用いて、読み取った原稿に種々の加工をして印刷出力する複雑コピー処理について説明する。なお、本処理はコピー制御プログラム１３ｄに含まれ、コピー制御プログラム１３ｄの他の処理とともに繰り返し実行される。まず、コピーボタン２１ｃ１を押下してコピーモードに移行した上で、図示しないメニューキー（例えば、２１ｃ３に割り当てられていてもよい）を押下することで、複写機１０が備える機能についての詳細な内容を設定するための図示しないメニュー画面を表示部２１に表示させる。そして、操作部２１のカーソルボタン２１ｂを操作し、図示しないメニューの中から本発明の編集モードである複雑コピーモードを選択し、複雑コピーモードに移行する（Ｓ１：Ｙｅｓ）。なお、複雑コピーモードへの移行方法としては、これ以外に予め定められたキーと同時にコピーボタン２１ｃ１を押下した場合に複雑コピーモードに移行する構成としてもよく、また、ワンタッチボタン２１ｅに例えば複雑コピーモードに移行するための「複雑コピー」ボタンを設定してもよい。この場合、カーソルボタン２１ｂ，コピーボタン２１ｃ１，ワンタッチボタン２１ｅが本発明の編集モード切替手段となる。
【００５３】
複雑コピーモードに移行すると、表示部２２に図４のような画面が表示される（Ｓ２）。この画面には、スキャナ部２４で読み取られた原稿の画像データを表示するプレビュー画面２２ａ、カーソルボタン２１ｂにより操作されるカーソルポインタ２２ｂ、複雑コピーを実行するコピースタートボタン２２ｃ、入力あるいは設定を有効とするＯＫボタン２２ｄ、入力あるいは設定を無効とするキャンセルボタン２２ｅ、プレビュー画面２２ａで表示される画像データを編集するための編集メニュー選択画面２２ｆ、編集メニュー画面２２ｆに対応するパラメータ設定画面２２ｇ、設定内容を確認する確認ボタン２２ｈが表示される。また、パラメータ設定画面２２ｇには、後述する複雑コピーの設定において使用される編集項目として「モノクロ」，「カラー」，「マスク」といったパラメータが用意されている。
【００５４】
複雑コピーの設定を行ないたい原稿をスキャナ部２４にセットして編集メニュー画面２２ｆの選択項目から「プレビュー」をカーソルポインタ２２ｂでクリック（表示部２２がタッチパネルを含む場合はタッチパネル上のプレビューボタンの押下、操作部２１のワンタッチボタン２１ｅがプレビューボタンを備える場合はそのボタンを用いてもよい、以下同じ）すると（Ｓ３：Ｙｅｓ）、スキャナ部２４で原稿が読み取られ、読み取られた原稿の画像データがプレビュー画面２２ａに表示される（Ｓ４）。
【００５５】
なお、「プレビュー」により原稿を読み取らせる方法としては、予め複雑コピーの設定を行ないたい原稿のみを原稿台にセットしておき、それを読み取らせる方法や、同じ複雑コピーを行ないたい原稿が複数枚ある場合は、複数枚の原稿をまとめてセットしておき、先頭の一枚だけを読み取らせる方法等が考えられる。また、プレビューで原稿を読み取る場合は、スキャナ部２４が備える読み取りの解像度レベルのうちの低解像度で読み取りを行い、短時間で読み取りを完了し、画像データをプレビュー画面２２ａに表示する。これは、原稿の大体の内容が確認できれば、複雑コピーの設定は可能であることから、低解像度で読み取ることでプレビューに要する全体の時間を短縮するためである。
【００５６】
また、例えば履歴書等のように文書の書式が一般的に決まっている定型文書に対して複雑コピーの設定を行なう場合（Ｓ３：Ｎｏ）には、原稿を読み取ってプレビュー表示を行なう必要はなく、編集メニュー画面２２ｆの選択項目のうち「定型」をカーソルポインタ２２ｂでクリックして（Ｓ５：Ｙｅｓ）、定型文書の雛型を用いて雛型編集処理（Ｓ６：詳細は後述）を行なう。
【００５７】
複雑コピーの設定を行なう前に複雑コピーモードを終了したい場合には、キャンセルボタン２２ｅをクリックすると（Ｓ１６：Ｙｅｓ）、キャンセル処理（後述）が行なわれ、複雑コピーモードを終了する。（Ｓ１５）。
【００５８】
そして、プレビュー画面２２ａに表示されている画像データに対して複雑コピー設定処理（Ｓ７：詳細は後述）を実行する。この複雑コピー設定処理は、プレビュー指示により原稿が読み取られた状態でプレビュー画面２２ａに表示されている画像データ，雛型編集処理を行なった後にプレビュー画面２２ａに表示されている画像データのいずれにも実行可能である。設定が完了して確認ボタン２２ｈをクリックすると（Ｓ８：Ｙｅｓ）、それまでに行なわれた設定内容がプレビュー画面２２ａあるいはパラメータ設定画面２２ｇに具体的に表示される（Ｓ９）。例えば、マスクが指定された領域が実際にマスクされた状態で表示されたり、色が指定された領域がその色で表示され、所望の設定が行なわれたかを確認できるレベルで表示される。所望の設定が行なわれていない場合（Ｓ１０：Ｎｏ）には、複雑コピー設定処理をやり直す。なお、確認ボタン２２ｈをクリックしたときに、ステップＳ７で行なわれた複雑コピーの設定に基づいて実際に印刷部２３により一枚だけコピー出力される構成であってもよい。
【００５９】
そして、所望の設定が行なわれていることが確認できたら、ＯＫボタン２２ｄをクリックする。ＯＫボタン２２ｄがクリックされると（Ｓ１０：Ｙｅｓ）、確認表示されている設定内容がメモリ１６内の複雑コピー設定記憶領域に保存される（Ｓ１１）。
【００６０】
この後、本発明の確定指示手段であるコピースタートボタン２２ｃがクリックされると（Ｓ１２：Ｙｅｓ）、その時点で複雑コピー設定記憶領域に記憶されている内容に基づいて複雑コピーが実行される（Ｓ１３）。また、キャンセルボタン２２ｅがクリックされると（Ｓ１４：Ｙｅｓ）、キャンセル処理が行なわれ、メモリ１６に保存されていた設定内容がクリアされ複雑コピーモードを終了する。（Ｓ１５）。
【００６１】
ステップＳ１３の複雑コピーの実行（本スキャン）では、予め設定されている解像度での読み取りが行われる。ここでの解像度は、例えば、装置のコピー機能の詳細設定において、低解像度、標準、高解像度といった複数の選択肢から選択することが可能である。また、コピースタートが指示された時に、複数枚の原稿がセットされていれば、その複数枚の原稿に対してステップＳ７で設定された複雑コピーの内容が適用されてコピーされる。なお、プレビューに使用した原稿も、本スキャンを行なう必要があれば、他の原稿と共に再度原稿台にセットする。また、読み取った原稿の画像データに対して、指定された領域をマスクする、あるいは色を変更する等の処理については、詳細な説明は省略するが、例えば、マスクの場合であれば、１枚の原稿の画像データをビットマップデータに展開した後、指定された領域のデータ部分を全て「０」に置き換えて記録しない状態とすることで実現でき、指定された領域を「単色：赤」に変更する場合であれば、同様にビットマップデータに展開した後、指定された領域のデータ部分が仮にモノクロのデータであっても、赤の情報を付加して印刷部に出力することで実現できる。
【００６２】
（雛型編集処理）
図５から図９を用いて図３のステップＳ６に相当する雛型編集処理について説明する。図４の画面において編集メニュー画面２２ｆの、本発明の雛型情報設定キーである「定型」をカーソルポインタ２２ｂでクリックすると、図６のようにサブメニュー２２ｊが表示される。「定型」についてのサブメニュー２２ｊが表示されている間は、他のメニュー・ボタンは通常の表示よりも輝度を低くしたり色を変えたりして選択できない旨を表す。
【００６３】
本実施形態においては、サブメニューとして「Ａ４」，「履歴書」，「住民票」の３つが用意されているが、これに限定されるものではなく他のメニューがあってもよい。ここで、例えば「履歴書」をクリックすると、図７のようにＲＯＭ１３あるいはメモリ１６の所定の雛型情報記憶領域に予め記憶されている履歴書の雛型情報に基づく画像がプレビュー画面２２ａに表示され、履歴書に対応した設定パラメータがパラメータ設定画面２２ｇに表示される（Ｓ２１）。
【００６４】
履歴書の雛型情報には、履歴書に一般的に備えられている、顔写真を添付する領域、氏名を記載する領域、住所を記載する領域、経歴を記載する領域等、記載内容毎に領域を区分けするための情報と、その区分けした領域をパラメータ設定画面２２ｇにパラメータ表示するための情報として、「顔」、「住所」、「氏名」、あるいは「経歴」といった設定パラメータ情報と、が少なくとも含まれている。また、図７の例では、各設定パラメータに対して、デフォルトの編集内容(情報)が予め付与されており、例えば、設定パラメータ「顔」に対しては編集内容として「マスク」が対応付けて記憶され、設定パラメータ「住所」には編集内容として「モノクロ」が対応付けて記憶されており、このようなデフォルトの編集内容も雛型情報に記憶されている。
【００６５】
そして、例えば履歴書のコピーを行なう際に履歴書に添付されている顔写真２２ａ１をコピーする必要がない場合（Ｓ２２：Ｙｅｓ）、パラメータ設定画面２２ｇの設定パラメータである「顔：マスク」の右欄にカーソルポインタ２２ｂでチェックを入れデフォルトの編集内容を設定する。すると、図８のようにプレビュー画面２２ａの顔写真表示領域２２ａ２がコピーの対象とはならない点線表示となる。他の設定パラメータにはデフォルト状態ではチェックが入れられていないため、「顔」に対応する領域以外はモノクロコピーの設定となる。
【００６６】
この状態でＯＫボタン２２ｄをクリックすると、設定内容がワークメモリ１２ａに一時的に記憶される（Ｓ２３）。図９に、雛型編集処理が実行され、ワークメモリ１２ａに記憶された設定内容の一例を示す。ここには、番号（Ｎｏ），設定分類（定型等），設定パラメータ（文書の書式「履歴書」，設定の対象となる範囲「全体」，編集内容「モノクロ」，機能「コピー」）等が含まれている。Ｎｏ０は編集内容の指定なしを示す雛型情報で、図８の設定内容はＮｏ１として記憶される。
【００６７】
そして、ステップＳ８以降の確認ボタン２２ｈに基づく処理等が行われ、最終的にコピースタートポタン２２ｃがクリックされると（Ｓ１２：Ｙｅｓ）、図９の記憶内容に基づいたコピーが実行され、新たに読み取られる原稿（履歴書）に対して、顔写真の部分がマスクされ、他の部分はモノクロによるコピー出力が得られる。履歴書が複数枚セットされている場合は、その複数枚の履歴書に対して同様の設定がなされる。
【００６８】
また、図６においてサブメニューの中から本発明の用紙情報である「Ａ４」をクリックする（本発明の用紙指定手段に相当）と、プレビュー画面２２ａにはＡ４サイズの白紙画像が表示され、この白紙画像に対して雛型編集処理および複雑コピー設定処理（後述）を行なうことができる。ここで使用できる雛型編集の内容としては、用紙の領域として例えば上半分，下半分，右半分，左半分という一般的な定型領域が用意されていて、その定型領域を選択してマスク，印刷色の設定を行なう。
【００６９】
具体的に、原稿の上半分にテスト問題が記載され、下半分に回答が記載されていような原稿をコピーするときに、まず、テスト問題の部分だけをコピーして、回答部分はマスクしたいといった要求が考えられる。この場合は、一々原稿をプレビューすることなく、原稿のサイズＡ４を選択し、白紙画像を表示した上で、雛型編集の中から、下半分を選択すると共に、編集内容としてマスクを指定することで、複雑コピーの実行時には、読み取った原稿に対して、下半分がマスクされたコピー出力が得られる。このように、簡単な設定であれば、原稿をプレビューすることなく、簡単なボタン操作で領域指定や編集内容を設定することができる。
【００７０】
定型文書の別の例として、書籍をページ見開きでコピーする際の雛型情報を作成することもできる。図１０のように書籍Ｂをコピーする際にはガラス製の原稿台Ａに置くと、ページ見開き部に近い領域Ｄは原稿台Ａに密着しないため、黒く出力される。そこで、図示しない「定型」のサブメニューから「定型：書籍」を選択し、図１１のような「定型：書籍」という雛型情報に基づく画像を表示し、中綴じ部がコピーされる領域２２ａ６をマスクするように設定を行なえば、書籍に印字されている領域２２ａ５（書籍Ｂの領域Ｃ，Ｅ）のみコピーされ中綴じ部（領域Ｄ）が黒く出力されることはなくなる。同様に縁部分２２ａ７の黒い出力を消したい場合には、「周縁部：マスク」の右の欄にチェックを入れ、マスク設定を有効とすることで縁部分２２ａ７の黒出力を防止することができる。
【００７１】
中綴じ部（領域Ｄ）の幅は、書籍の厚さ等により変化することから、例えば、雛型情報に基づいて、一枚試しコピーを行ってみて（ステップＳ９の確認出力処理に相当）、中綴じ部分のコピー出力の結果が適切でない場合は、ステップＳ７の複雑コピーの設定に戻り、中綴じ部分の幅をカーソルポインタ２２ｂを用いて適宜調節し、所望の設定に変更できることが望ましい。
【００７２】
（複雑コピー設定処理）
図１２から図２１を用いて図３のステップＳ７に相当する複雑コピー設定処理について説明する。まず、編集メニュー画面２２ｆの選択項目から「プレビュー」をカーソルポインタ２２ｂでクリックして、スキャナ部２４で読み取られた原稿の画像データを表示部２２に表示させ、次に編集メニュー画面２２ｆの選択項目から「自由設定」をクリックすると、図１３のようにユーザが任意の複雑コピー設定を行なうことができる状態となる。
【００７３】
ここで、プレビュー画面２２ａ中の所望の領域をコピー出力したくない場合は、まず図１４のようにパラメータ設定画面２２ｇの編集内容「マスク」の右欄にカーソルポインタ２２ｂでチェックを入れる（Ｓ３１：Ｙｅｓ）。そして、図１５あるいは図１６のように領域の始点と終点を指定することでマスクしたい領域を指定する。領域の指定が終了すると（Ｓ３２：Ｙｅｓ）、設定内容として指定した領域の情報およびその領域に対する編集内容がワークメモリ１２ａに一時保存される（Ｓ３３）。この後、ステップＳ３１に戻る。
【００７４】
続いて、所望の領域の表示色（印字色）を変更したい場合（Ｓ３１：Ｙｅｓ）には、図１７，図１８のようにパラメータ設定画面２２ｇの編集内容「単色：赤」の右欄にカーソルポインタ２２ｂでチェックを入れる。赤以外の単色を使用したい場合には、「単色：赤」の欄をクリックするとプルダウンメニュー形式で色リストが表示されるので、所望の色を選択する。
【００７５】
そして、図１９，図２０のように上記と同様に始点と終点を指定して表示色を変更する領域２２ａ４を指定する。複雑コピーの設定を終了する場合（Ｓ３６：Ｙｅｓ）にはＯＫボタン２２ｄをクリックする。複雑コピーの設定を中止したい場合にはキャンセルボタン２２ｅをクリックすると（Ｓ３５：Ｙｅｓ）、ワークメモリ１２ａに一時保存されていたそれまでの設定内容がクリアされる（Ｓ３７）。
【００７６】
図２１に、複雑コピー設定処理が実行され、ワークメモリ１２ａに記憶された設定内容の一例を示す。ここには、番号（Ｎｏ），設定分類（自由設定等），設定パラメータ（文書の書式，設定の対象となる範囲，設定内容，機能）等が含まれている。図１５，図１６における設定内容がＮｏ１として、図１９，図２０における設定内容がＮｏ２として記憶されている。また、その他の領域の設定内容はＮｏ０（編集内容の設定なしを示す）として記憶されている。
【００７７】
そして、ステップＳ８以降の確認ボタン２２ｈに基づく処理等が行われ、最終的にコピースタートポタン２２ｃがクリックされると（Ｓ１２：Ｙｅｓ）、図２１の記憶内容に基づいたコピーが実行され、新たに読み取られる原稿に対して、指定された領域がそれぞれマスク、あるいは赤で出力され、他の部分はモノクロによるコピー出力が得られる。また、原稿が複数枚セットされている場合は、その複数枚の原稿に対して同様の設定がなされる。
【００７８】
（複雑コピー処理２）
図２２から図３１を用いて、読み取った原稿に種々の加工をして印刷出力する複雑コピー処理の別の例について説明する。なお、本処理はコピー制御プログラム１３ｄに含まれ、コピー制御プログラム１３ｄの他の処理とともに繰り返し実行される。
【００７９】
複雑コピーモードに移行して読み取られた原稿の画像データがプレビュー画面２２ａに表示されるステップＳ６１からＳ６３、および定型文書の雛型を用いて雛型編集処理を行なうステップＳ６４，Ｓ６５は、それぞれ図３のステップＳ２からＳ４、ステップＳ５，Ｓ６と同様であるため、ここでの説明は割愛する。但し、ステップＳ６１で表示される画面は図２３のように、複数枚の原稿を「プレビュー」により読み取って複雑コピー設定処理を行なえるように、スキャンページ選択ボタン２２ｍ，２２ｎ、次ページボタン２２ｋ、一つの原稿に対するコピー枚数を設定するためのコピー枚数設定ボタン２２ｐ，２２ｑが追加されている。
【００８０】
また、複雑コピーの設定を行なう前に複雑コピーモードを終了したい場合には、キャンセルボタン２２ｅをクリックすると（Ｓ７８：Ｙｅｓ）、キャンセル処理（後述）が行なわれ、複雑コピーモードを終了する。（Ｓ７７）。
【００８１】
そして、複雑コピー設定処理（Ｓ６６：図１２と同様）を実行する。図２４，図２５の例では編集項目として「マスク」がチェックされているため、指定された領域２２ａ８がマスクされる。設定内容の確認（Ｓ６７，Ｓ６８）については図３のステップＳ８，Ｓ９と同様であるため、ここでの説明は割愛する。
【００８２】
次に、上記の複雑コピー設定内容を、新たに本スキャンとして読み取られる原稿のどのページに適用するかを、スキャンページ選択ボタン２２ｍ，２２ｎを用いて設定する（Ｓ６９）。図２６の例では、領域２２ａ８がマスクされる設定を新たにスキャンされる原稿の１ページから５ページに適用する場合の設定画面を示している。
【００８３】
また、上記の複雑コピー設定内容によりスキャンされる原稿の１枚に対するコピー枚数を、コピー枚数設定ボタン２２ｐ，２２ｑを用いて設定することができる（Ｓ７０）。図２７は、図２６で設定された１ページから５ページまでを各２枚コピーする場合の設定画面例である。このステップＳ７０において特に枚数が指定されなければ原稿は各１枚コピーされる。
【００８４】
上記の複雑コピー，スキャンページ範囲，コピー枚数の設定内容に間違いなければＯＫボタン２２ｄをクリックする。ＯＫボタン２２ｄがクリックされると（Ｓ７１：Ｙｅｓ）、設定内容がメモリ１６に確保される複雑コピー設定記憶領域に保存される（Ｓ７２）。
【００８５】
続いて、コピースタートボタン２２ｃをクリックすると（Ｓ７３：Ｙｅｓ）、上記複雑コピー設定記憶領域に保存されている設定内容でコピーが行なわれる（Ｓ７４）。図２７の例では、図示しない原稿台にセットされスキャナ部２４により読み取られた原稿が５枚以内であれば、その５枚以内の原稿に対し上記の複雑コピーの設定で各２枚コピーされ、原稿が６枚以上であれば、１ページから５ページまでが上記の複雑コピーの設定で各２枚コピーされ、６ページ以降は特に複雑コピーの設定が行なわれていないため、読み取られた原稿の内容がそのまま各１枚コピーされる。
【００８６】
「プレビュー」により原稿を複数枚読み取った場合は、図２８のようにプレビュー画面２２ａに複数枚の画像データが重なって表示されることから、次ページボタン２２ｋをクリックすると（Ｓ７５：Ｙｅｓ）、図２９のように次ページのプレビュー画面２２ａｂが切り替え表示され、上記と同様に複数ページのプレビュー画面２２ａｂに対して複雑コピー，スキャンページ範囲，コピー枚数の設定を行なうことができる。続く図３０の表示画面例ではプレビュー画面２２ａｂの領域２２ａｂ１の印刷色を赤色、スキャンページ範囲は６ページのみ、コピー枚数は１枚と設定している。
【００８７】
また、キャンセルボタン２２ｅをクリックすると（Ｓ７６：Ｙｅｓ）、キャンセル処理が行なわれ、ワークメモリ１２ａおよびメモリ１６に保存されていた設定内容がクリアされ複雑コピーモードを終了する（Ｓ７７）。
【００８８】
上記処理により、メモリ１６の複雑コピー設定記憶領域に保存される上記設定内容を図３１に示す。図２４から図２７の設定はスキャンページ１として設定の異なる領域毎（設定パラメータ２）に編集内容（設定パラメータ３）が記憶され、図２９，図３０の設定はスキャンページ２として同様に記憶される。また、スキャンページ毎にページ範囲やコピー枚数の指定情報が記憶される。
【００８９】
上記の設定内容で複雑コピーを実施すると、原稿が５枚以内であれば、その５枚の原稿に対してスキャンページ１の設定内容で各２枚コピーされ、原稿が６枚以上であれば、１ページから５ページまでがスキャンページ１の設定内容で各２枚コピーされ、６ページはスキャンページ２の設定内容で１枚コピーされ、７ページ以降は特に複雑コピーの設定が行なわれていないため、読み取られた原稿の内容がそのまま各１枚コピーされる。
【００９０】
なお、上記の例では、複数の原稿に対して複雑コピー等の設定を行なう場合、プレビュー時に複雑コピーの設定を行なう原稿のみを読み取っているが、コピーしようとする原稿を全て読み取って必要なページを選択して表示させ、そのページに対して複雑コピーの設定を行なう方法でもよい。また、複数のプレビューがある場合に重ねて表示させて切り替え表示を行なう代わりに並列に表示し、複雑コピーの設定を行なう構成であってもよい。
【００９１】
（複写機システム）
複写機１０の複雑コピー等の設定を複写機１０に接続された端末装置３０で行なう構成としてもよい。端末装置３０の電気的構成のブロック図を図３２に示す。本発明の編集情報適用手段であるＣＰＵ３１、ワークメモリ３２ａを備える本発明の保存手段であるＲＡＭ３２、各種プログラムを記憶するＲＯＭ３３、記憶装置であるハードディスクドライブ（ＨＤＤ）３４、バスライン３５、入出力部（図中では「Ｉ／Ｏ」と表示）３６、ＣＤ−ＲＯＭドライブ３９および通信ネットワーク５０に接続するための本発明の画像データ取得手段，送信手段である通信インターフェース（図中では「通信Ｉ／Ｆ」と表示）４０等を備えたパーソナルコンピュータ（あるいはワークステーション）として構成される。
【００９２】
ＨＤＤ３４やＣＤ−ＲＯＭドライブ３９は、インターフェース（Ｉ／Ｆ）４４、４９を介してバスライン３５に接続されている。ＨＤＤ３４は、端末装置３０の基本ソフトウェアとなるＯＳ３４ａ、複雑コピーの設定を行なう設定プログラム３４ｂ、通信ネットワーク５０上の機器（複写機１０等）との通信を行なうための通信プログラム３４ｃ、各種データを格納するデータベース３４ｄ等が記憶されている。本発明の編集情報設定手段，編集情報編集手段，編集モード切替手段，用紙指定手段，確定指示手段，ページ数指定手段，部数指定手段である入出力部３６には、キーボードあるいはマウス等からなる入力部３７、ＬＣＤあるいはＣＲＴからなる本発明の表示手段，編集情報表示手段，確認出力手段である表示部３８が接続されている。
【００９３】
設定プログラム３４ｄの動作により、端末装置３０の表示部３８に図４と同様の画面を表示させ、ここでプレビューを指定することで複写機１０に対して原稿の読み取りの指示を送る。次に、複写機１０で読み取られた原稿の画像データを複写機１０から取得し、その画像データに対して複雑コピーの設定を行なう。複雑コピーの設定処理は上述の複雑コピー処理１（図３のステップＳ１〜Ｓ１１，Ｓ１４，Ｓ１５），複雑コピー設定処理（図１２），複雑コピー処理２（図２２のステップＳ６１〜Ｓ７２，Ｓ７５，Ｓ７６）と同様であり、設定内容はデータベース３４ｄに記憶される。
【００９４】
続いて、表示部３８に表示されている図４と同様の画面上において、コピースタートを指定することで、データベース３４ｄに記憶されている複雑コピーの設定内容が複写機１０に送信され、複写機１０のメモリ１６に格納されるとともに、複写機１０においてセットされている原稿の読み取りが開始され（本スキャン）、新たに読み取られた原稿の画像データに対して、端末装置３０において設定された複雑コピーが適用されて出力される。原稿が複数枚セットされている場合は、それらの原稿が順次読み取られ、複雑コピーがそれぞれ適用されて出力されることになる。
【００９５】
端末装置３０に複写機１０が複数接続されている場合に、データベース３４ｄに記憶された設定内容は端末装置３０から複写機１０を指定して送信することができる。図３３のように、表示部３８の表示画面にしたがって、送信先の複写機（複写機名，ネットワークアドレス等），送信内容（複雑コピー設定内容等）を指定する。「送信」ボタンをクリックすると、指定された設定内容がデータベース３４ｄから読み出され、複写機１０に送られる。複写機１０では、送られてきたデータはメモリ１６に格納される。「定型設定」の場合は複写機１０にプレビュー用に原稿を読み取らせる必要がないので、端末装置３０はどの複写機に対して複雑コピーの設定内容を送出して複雑コピーを実行させるかの指定を行なっておく必要がある。
【００９６】
また、端末装置３０は、複写機１０のＲＡＭ１２あるいはメモリ１６の記憶内容（複雑コピー設定内容やプレビューした画像データ等）を取得することもできる。図３３の画面で「受信」ボタンをクリックすると、複写機１０側で指定された設定内容のデータ等を受信する。受信したデータは一旦ワークメモリ３２ａに格納され、所定のコマンドを実行することでデータベース３４ｄの該当領域に格納される。
【００９７】
例えば、あるユーザが複写機１０側で複雑コピーモードに移行し、複雑コピーの設定を開始したものの、別の要件が入り、その設定を中断しなければならない状況が生じた場合、この複写機１０側の設定内容を端末装置３０に受信させる機能を使用することで、後で端末装置３０を使用して複雑コピーの設定等を再開することができ、途中まで行った設定を無駄にしてしまうことを防止できる。
【００９８】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【００９９】
例えば、上記実施形態では、図８におけるパラメータ設定画面２２ｇの各設定パラメータに対して、デフォルトの編集内容（マスク、単色赤等）が予め記憶されており、チェックを入力することでデフォルトの編集内容を設定する方式をとっていたが、これに限定されるものではなく、「顔」、「住所」といった設定パラメータ毎に、編集内容がプルダウン表示され、その中から、所望の編集内容を選択できるように構成されていてもよい。
【図面の簡単な説明】
【０１００】
【図１】複写機，複写機システムの全体構成を示すブロック図。
【図２】操作パネルの構成を示す図。
【図３】複雑コピー処理１を説明するフロー図。
【図４】プレビュー時の表示画面の一例を示す図。
【図５】雛型編集処理を説明するフロー図。
【図６】雛型編集処理実行時の表示画面の一例を示す図。
【図７】図６に続く雛型編集処理実行時の表示画面の一例を示す図。
【図８】図７に続く雛型編集処理実行時の表示画面の一例を示す図。
【図９】雛型編集処理実行後の記憶内容の一例を示す図。
【図１０】書籍を見開きでスキャンする例を示す図。
【図１１】書籍を見開きでスキャンする場合の表示画面の一例を示す図。
【図１２】複雑コピー設定処理を説明するフロー図。
【図１３】複雑コピー設定処理実行時の表示画面の一例を示す図。
【図１４】図１３に続くパラメータ設定時の表示画面の一例を示す図。
【図１５】図１４に続く領域設定時の表示画面の一例を示す図。
【図１６】図１５に続く領域設定時の表示画面の一例を示す図。
【図１７】図１６に続くパラメータ設定時の表示画面の一例を示す図。
【図１８】図１７に続くパラメータ設定時の表示画面の一例を示す図。
【図１９】図１８に続く領域設定時の表示画面の一例を示す図。
【図２０】図１９に続く領域設定時の表示画面の一例を示す図。
【図２１】複雑コピー設定内容の一例を示す図。
【図２２】複雑コピー処理２を説明するフロー図。
【図２３】複雑コピー処理２実行時の初期画面の一例を示す図。
【図２４】図２３に続くパラメータ設定時の表示画面の一例を示す図。
【図２５】図２４に続く領域設定時の表示画面の一例を示す図。
【図２６】図２５に続くページ範囲設定時の表示画面の一例を示す図。
【図２７】図２６に続くコピー枚数設定時の表示画面の一例を示す図。
【図２８】複数枚の原稿に対する複雑コピー設定処理実行時の表示画面の一例を示す図。
【図２９】複数枚の原稿をプレビューした際の表示画面の一例を示す図。
【図３０】図２９に続く領域設定時の表示画面の一例を示す図。
【図３１】複雑コピー設定内容の一例を示す図。
【図３２】端末装置の構成を示す図。
【図３３】端末装置の表示画面の一例を示す図。
【符号の説明】
【０１０１】
１０    複写機
１１    ＣＰＵ（編集情報適用手段）
１２    ＲＡＭ
１３    ＲＯＭ
１６    メモリ（保存手段）
１８    通信Ｉ／Ｆ（取得手段）
２０    操作パネル
２１    操作部（本発明の編集情報設定手段，編集情報編集手段，編集モード切替手段，用紙指定手段，確定指示手段，ページ数指定手段，部数指定手段）
２１ｂ  カーソルキー
２１ｃ  機能選択ボタン
２１ｄ  テンキー
２１ｅ  ワンタッチキー
２２    表示部（表示手段，編集情報表示手段，確認出力手段）
２２ｃ  コピースタートボタン（確定指示手段）
２３    印刷部（出力手段）
２４    スキャナ部（読取手段）
３０    端末装置
３１    ＣＰＵ（編集情報適用手段）
３４ｄ  データベース
３７    入力部（編集情報設定手段，編集情報編集手段，編集モード切替手段，用紙指定手段，ページ数指定手段，部数指定手段）
３８    表示部（表示手段，編集情報表示手段，確認出力手段）
４０    通信Ｉ／Ｆ（画像データ取得手段，送信手段）
【図１】
0004826241.tif 000002
【図２】
0004826241.tif 000003
【図３】
0004826241.tif 000004
【図４】
0004826241.tif 000005
【図５】
0004826241.tif 000006
【図６】
0004826241.tif 000007
【図７】
0004826241.tif 000008
【図８】
0004826241.tif 000009
【図９】
0004826241.tif 000010
【図１０】
0004826241.tif 000011
【図１１】
0004826241.tif 000012
【図１２】
0004826241.tif 000013
【図１３】
0004826241.tif 000014
【図１４】
0004826241.tif 000015
【図１５】
0004826241.tif 000016
【図１６】
0004826241.tif 000017
【図１７】
0004826241.tif 000018
【図１８】
0004826241.tif 000019
【図１９】
0004826241.tif 000020
【図２０】
0004826241.tif 000021
【図２１】
0004826241.tif 000022
【図２２】
0004826241.tif 000023
【図２３】
0004826241.tif 000024
【図２４】
0004826241.tif 000025
【図２５】
0004826241.tif 000026
【図２６】
0004826241.tif 000027
【図２７】
0004826241.tif 000028
【図２８】
0004826241.tif 000029
【図２９】
0004826241.tif 000030
【図３０】
0004826241.tif 000031
【図３１】
0004826241.tif 000032
【図３２】
0004826241.tif 000033
【図３３】
0004826241.tif 000034